(57)【要約】【課題】  ケージを吊下げている部分から油滴類が飛散しないように拭取ることができる垂直循環式駐車装置の油滴類清掃装置を提供すること。【解決手段】  アタッチメントリンク１５と平行に揺動自在に支持した支持アーム３２と、この支持アーム３２の一端に設けた棒材３６の先端に取付けた拭取り材３８と、この拭取り材３８がケージ５の吊り軸１４の支持部に当接する位置に前記支持アーム３２の姿勢を保持する錘４５とを備えて、垂直循環式駐車装置のケージ５の吊り軸１４を支持するアタッチメントリンク１５から油滴類を拭取るようにする。【選択図】  図３
2006152552.tif 000002
【特許請求の範囲】
【請求項１】
垂直循環式駐車装置のケージの吊り軸を支持するアタッチメントリンクから油滴類を拭取るための油滴類清掃装置であって、
前記油滴類清掃装置が、前記アタッチメントリンクと平行に揺動自在に支持した支持アームと、該支持アームの一端に設けた棒材の先端に取付けた拭取り材と、該拭取り材が前記吊り軸の支持部に当接する位置に前記支持アームの姿勢を保持する姿勢保持部材とを備えてなる垂直循環式駐車装置の油滴類清掃装置。
【請求項２】
垂直循環式駐車装置のケージの吊り軸を支持するアタッチメントリンクから油滴類を拭取るための油滴類清掃装置であって、
前記油滴類清掃装置が、前記アタッチメントリンクと平行に駐車塔に揺動自在に支持した支持アームと、該支持アームの一端に設けて、下方への揺動は規制して上方へのみ揺動自在に枢着した傾動アームと、該傾動アームの先端部に取付けたローラ支持部材と、該ローラ支持部材の先端部に装着した拭取り材を有する拭取りローラと、前記支持アームの他端に、前記拭取りローラが吊り軸の支持部に当接する位置に該支持アームの姿勢を保持する姿勢保持部材とを備えてなる垂直循環式駐車装置の油滴類清掃装置。
【請求項３】
前記姿勢保持部材が、前記支持アームの反拭取り材側に設けた錘部材である請求項１又は請求項２記載の垂直循環式駐車装置の油滴類清掃装置。
【請求項４】
前記拭取り材が、油滴類を吸収する材料で形成されてなる請求項１又は請求項２記載の垂直循環式駐車装置の油滴類清掃装置。
【請求項５】
駐車塔の前部と後部とに設けた上部スプロケットと下部スプロケットとに掛け回した無端の主務チェーンと、該主務チェーンのアタッチメントリンク先端部に吊り軸で支持して循環させるように構成した複数の車両搭載用のケージと、該ケージの吊り軸を支持するアタッチメントリンクから油滴類を拭取る油滴類清掃装置とを備えてなる垂直循環式駐車装置。
【請求項６】
前記油滴類清掃装置が、請求項１〜４のいずれか１項に記載の油滴類清掃装置である垂直循環式駐車装置。
【発明の詳細な説明】
【技術分野】
【０００１】
本願発明は、垂直循環式駐車装置のケージを支持する吊り軸の支持部における油滴類を清掃するための油滴類清掃装置に関する。
【背景技術】
【０００２】
従来より、駐車塔（塔屋）内で車両を格納するケージを垂直方向に循環させる垂直循環式駐車装置（以下、単に「駐車装置」ともいう。）が知られている。この垂直循環式駐車装置は、図８に示すように、駐車塔２の入出庫口４の内側に、車両Ｍを搭載するためのケージ５が設けられている。
【０００３】
また、駐車塔２の梁６（構造物）には上部スプロケット７および下部スプロケット８が設けられており、これら両スプロケット７，８の間に掛け回された無端の主務チェーン９によって、車両Ｍを搭載する前記ケージ５を循環させるように構成されている。この主務チェーン９は多数のリンクが連結されて構成されたものであり、このリンクのＴ字形アタッチメントリンク１５に前記ケージ５の吊り軸１４が吊り下げられている。
【０００４】
そして、モータ等の循環駆動装置２０によって上部スプロケット７を回転させることにより、主務チェーン９を回動させてケージ５を上下に循環移動させるように構成されている。ケージ５が循環する循環経路Ｒの上端および下端では、上部旋回ガイド２３と下部旋回ガイド２４とにガイドされて反転するように構成されている。
【０００５】
このような垂直循環式駐車装置においては、スプロケット７，８、主務チェーン９、ケージ５の吊り軸等、各可動箇所に給油や給脂を行って円滑な動作を保つようにしている。
【０００６】
この種の従来技術として、例えば、垂直循環式駐車装置におけるエンドレスリンクチェーンの内周側面に、給油ノズルを装着した給油装置本体を設け、チェーンのピン乃至ブッシュが給油位置に達した時に給油ノズルをピン乃至ブッシュに挿入して給油するように構成した自動給油装置がある（例えば、特許文献１参照。）。
【０００７】
また、他の従来技術として、立体駐車場のパレット駆動チェーンのリンクプレート横幅方向に対して、２個の噴射口を有する噴射ノズル体で左右両リンクプレートを同時に給油するように構成した給油装置がある（例えば、特許文献２参照。）。
【特許文献１】特開昭５３−７０２７４号公報（第３−４頁、図５−７）
【特許文献２】特開２００３−２４８２８号公報（第２頁、図３）
【発明の開示】
【発明が解決しようとする課題】
【０００８】
ところで、前記したように給油や給脂を行っている可動箇所の中でも、特に、ケージ５の吊り軸１４両端は、車両Ｍを搭載するケージ５を支持する部分であり重要な箇所である。この吊り軸１４の両端部は、前後２条の主務チェーン９に組込まれたアタッチメントリンク１５の先端部にブッシュを介して装着されており、このブッシュに設けられた給油口等に対して保守点検作業時に給油や給脂が行われている。
【０００９】
しかしながら、このブッシュの部分は重量物を吊下げながら常に回転する部分であるため、給油した油や給脂したグリースがケージ５の循環旋回により滲み出て、この滲み出た油滴類がアタッチメントリンク１５の先端部周辺に集合し、やがては下方や四方八方に飛散して、ケージ５に搭載した車両Ｍを汚損することがある。
【００１０】
そのため、保守点検作業の中で、作業者が手作業によりこれら多数のアタッチメントリンク１５の先端部に漏出した油滴類を布類で拭取ることによって飛散することがないようにしているが、そのために保守点検作業が長時間になるとともに重労働となっている。
【００１１】
しかも、駐車装置の稼働中は、この拭取り作業が行えず、また特に油を使用した場合はグリース使用の場合に比べて容易に滲み出るので、保守点検作業期間の間隔を短縮せざるを得なくなっている。
【００１２】
なお、前記特許文献１，２は給脂に関するものであり、このように滲み出た油滴類が飛散することを防止することについては何ら対策されていない。
【００１３】
そこで、本願発明は、ケージを吊下げている部分から油滴類が飛散しないように拭取ることができる垂直循環式駐車装置の油滴類清掃装置を提供することを目的とする。
【課題を解決するための手段】
【００１４】
前記目的を達成するために、本願発明の油滴類清掃装置は、垂直循環式駐車装置のケージの吊り軸を支持するアタッチメントリンクから油滴類を拭取るための油滴類清掃装置であって、前記油滴類清掃装置が、前記アタッチメントリンクと平行に揺動自在に支持した支持アームと、該支持アームの一端に設けた棒材の先端に取付けた拭取り材と、該拭取り材が前記吊り軸の支持部に当接する位置に前記支持アームの姿勢を保持する姿勢保持部材とを備えている。これにより、ケージ吊り軸の支持部における油滴類を安定して拭取ることができる。
【００１５】
また、垂直循環式駐車装置のケージの吊り軸を支持するアタッチメントリンクから油滴類を拭取るための油滴類清掃装置であって、前記油滴類清掃装置が、前記アタッチメントリンクと平行に駐車塔に揺動自在に支持した支持アームと、該支持アームの一端に設けて、下方への揺動は規制して上方へのみ揺動自在に枢着した傾動アームと、該傾動アームの先端部に取付けたローラ支持部材と、該ローラ支持部材の先端部に装着した拭取り材を有する拭取りローラと、前記支持アームの他端に、前記拭取りローラが吊り軸の支持部に当接する位置に該支持アームの姿勢を保持する姿勢保持部材とを備えていても、ケージ吊り軸の支持部における油滴類を安定して拭取ることができる。
【００１６】
さらに、前記姿勢保持部材が、前記支持アームの反拭取り材側に設けた錘部材であれば、姿勢保持を簡単な構成で行うことができる。
【００１７】
その上、前記拭取り材が、油滴類を吸収する材料で形成されていれば、拭取った油滴類を吸収した拭取り材によって拭取った油滴類を可動部へ再塗布することができる。
【００１８】
一方、本願発明の垂直循環式駐車装置は、駐車塔の前部と後部とに設けた上部スプロケットと下部スプロケットとに掛け回した無端の主務チェーンと、該主務チェーンのアタッチメントリンク先端部に吊り軸で支持して循環させるように構成した複数の車両搭載用のケージと、該ケージの吊り軸を支持するアタッチメントリンクから油滴類を拭取る油滴類清掃装置とを備えている。これによっても、ケージ吊り軸の支持部における油滴類を安定して拭取ることができる。
【００１９】
また、この垂直循環式駐車装置における油滴類清掃装置としては、前記した油滴類清掃装置のいずれかが好ましい。
【発明の効果】
【００２０】
本願発明は、以上説明したような手段により、垂直循環式駐車装置におけるケージの吊り軸部分から油滴類が飛散することを安定して防止することが可能となる。
【発明を実施するための最良の形態】
【００２１】
以下、本願発明の一実施の形態を図面に基づいて説明する。図１は本願発明に係る油滴類清掃装置の一実施形態を備えた垂直循環式駐車装置を概略的に示す縦断面図であり、図２は同油滴類清掃装置とケージとを示す斜視図、図３は同油滴類清掃装置とケージ端部とを示す拡大平面図である。図４は同油滴類清掃装置の断面図であり、(a) は拭取りローラ支持部の縦断面図、(b) は拭取りローラの横断面図、(c) は拭取りローラの他の例を示す縦断面図である。
【００２２】
図１に示すように、駐車装置１は、駐車塔２の地上階が入出庫階３となっており、ここには入出庫口４が設けられている。この入出庫口４は、車両Ｍを駐車塔２内に進入させる出入口であり、図１の紙面と直交する手前側に設けられている。この入出庫口４の内側には、車両Mを搭載するためのケージ５が設けられている。
【００２３】
一方、駐車塔２内の梁６には、上部スプロケット７および下部スプロケット８が設置されており、これらに無端の主務チェーン９が掛け回されている。この主務チェーン９に、前記ケージ５が吊り下げられている。主務チェーン９は、モータ等の循環駆動装置２０によって回転させる上部スプロケット７によって回動させられる。
【００２４】
図２に示すように、前記ケージ５は、車両搭載用パレット１０と、このパレット１０の長手方向の両端（前後端）それぞれに立設された門型（ほぼコの字や矩形）のケージ枠１１，１２と、これら前側ケージ枠１１と後側ケージ枠１２とに設けられたブラケット１３を介して上端中央部同士をつなぐ吊り軸１４とから構成されている。この吊り軸１４の両端部が、前記主務チェーン９に設けられたＴ字形のアタッチメントリンク１５を介して前記主務チェーン９に吊下げ（支持）られている。これにより、吊り軸１４が直交する方向に設けられたアタッチメントリンク１５によって支持されている。この吊り軸１４のアタッチメントリンク１５による支持部にはブッシュ１６（図３）が設けられており、このブッシュ１６には、内部に油脂類を供給できるように給油口１７（ニップル等）が設けられている（図３）。
【００２５】
また、ケージ５のパレット１０には、ケージ下部を案内するための下ローラ１８が設けられ、前側ケージ枠１１の上部に設けられたブラケット１３の両側部には、肩ローラ１９が設けられている。肩ローラ１９は、前後のケージ枠１１，１２のうちの一方（通常、奥側）にのみ設置される。
【００２６】
そして、図１に示すように、前記下ローラ１８を案内する直線内ガイド２１と直線外ガイド２２とが駐車塔２の循環経路Ｒの垂直部分に設けられている。これにより、ケージ５が駐車塔２の垂直方向に移動する時には、下ローラ１８が直線内ガイド２１と直線外ガイド２２とに案内されて安定した上下動ができるように構成されている。この時、梁６に設けられたチェーンガイド２６によって主務チェーン９のガイドローラ２７が案内されている（図３）。
【００２７】
また、駐車塔２の循環経路Ｒの上側反転部には前記肩ローラ１９を案内する上部旋回ガイド２３が設けられ、下側反転部には前記肩ローラ１９を案内する下部旋回ガイド２４が設けられている。これにより、ケージ５が駐車塔２の上側反転部と下側反転部とで反転する時には、肩ローラ１９が上部旋回ガイド２３および下部旋回ガイド２４に係合して案内される。
【００２８】
このように、吊り軸１４のみで吊下げられたケージ５は、パレット１０に設けられた下ローラ１８によって垂直方向移動時の左右揺動が規制され、ケージ枠１１に設けられた肩ローラ１９によって、上下反転時の左右移動が規制されて、ケージ５が吊り軸１４回りで揺動しないように構成されている。
【００２９】
図１，２に示すように、このように構成された駐車塔２にケージ５の吊り軸１４の部分の油滴類を清掃する油滴類清掃装置３０が設けられている。この油滴類清掃装置３０は、ケージ５の循環経路Ｒの一部に設けられており、この実施形態では、図１に示す左側の垂直方向循環経路Ｒの一箇所に設けられている。この油滴類清掃装置３０は、ケージ５の前後に各１台が設けられており、吊り軸１４の前後両端の支持部を清掃するように構成されている。この例では、ケージ５の前後に各１台の油滴類清掃装置３０を設けているが、この油滴類清掃装置３０は、駐車塔２の前部と後部とに少なくとも各１台設置すればよい。
【００３０】
図２，３に示すように、油滴類清掃装置３０は、駐車塔２の梁６に固定されたブラケット２５に中間部が枢支ピン３１で支持された矩形筒状の支持アーム３２を有している。この支持アーム３２は、アタッチメントリンク１５と平行の梁６に支持され、アタッチメントリンク１５と平行な面内で揺動可能に構成されている。
【００３１】
支持アーム３２は、アタッチメントリンク１５側の一端にコ字形ブラケット３３が設けられ、このコ字形ブラケット３３には、吊り軸１４と平行に設けられた枢支ピン３４によって一端が傾動可能に支持された傾動アーム３５が設けられている。この傾動アーム３５は矩形筒状に形成されており、枢支ピン３４の反対側からＬ形に屈曲された棒材３６の基部が挿入されている。この棒材３６の他端には、油滴類の拭取りローラ３７が設けられている。この拭取りローラ３７は、拭取り材３８が吊り軸１４よりも少し主務チェーン９側に位置してアタッチメントリンク１５の先端部の循環軌跡に干渉するように配置されている。これにより、Ｌ形の棒材３６は、基部がアタッチメントリンク１５と平行で、他端は吊り軸１４と平行となるように構成されている。
【００３２】
図４(a) に示すように、前記棒材３６の基部は端部が矩形状に形成されており、この端部を傾動アーム３５に挿入して止めピン３９によって固定している。この棒材３６の基部を矩形に形成することにより、止めピン３９による固定で回り止めを図っている。前記コ字形ブラケット３３の下部には、傾動アーム３５の傾動を所定角度（図示する例では、略水平状態）で揺動を規制するストッパ４０が設けられている。これにより、傾動アーム３５は上方へは揺動自在で下方への揺動が規制されている。
【００３３】
図４(b) に示すように、前記棒材３６の他端に設けられた拭取りローラ３７は、棒材３６に挿入可能な芯材４１の周囲に油滴類を吸取る軟質材料等の拭取り材３８が設けられた筒状の部材である。この拭取りローラ３７は、芯材４１から回転自在に装着されており、この芯材４１から外して交換可能となっている。拭取り材３８としては、例えば、フェルトやスポンジ、その他、図４(c) に示すようなモップ状の紐を多数植毛したような材料が用いられる。拭取りローラ３７に用いる拭取り材３８としては、材質が親油性であればよく、塗装用ローラに使用されるスポンジや刷毛や布製でもよい。
【００３４】
そして、この拭取りローラ３７が棒材３６に挿入され、所定位置に設けられたストッパ４２によって位置決めされた状態で、止め金具４３を棒材３６の端部に固定することによって取付けられている。取付けられた状態の拭取りローラ３７は、回転可能に構成されている。
【００３５】
一方、支持アーム３２の他端には、錘支持材４４によって支持された姿勢保持部材たる錘４５が設けられている。この錘４５は、錘支持材４４の端部を支持アーム３２に挿入して止めピン４６で固定することによって取付けられている。この止めピン４６を係合させる錘支持材４４には、調整溝４７が軸方向に設けられており、支持アーム３２をの支持する枢支ピン３１から錘４５までの距離を調整することができるように構成されている。この錘４５は、駐車塔２の梁６に当接させて拭取りローラ３７の姿勢を保持するための当て部材としての機能も備えている。この錘４５の周囲には、梁６に当接した時の衝撃音を緩和するための軟性材被覆が施されている。
【００３６】
そして、これら支持アーム３２、傾動アーム３５、棒材３６、錘支持材４４の軸方向長さは、棒材３６の先端に設けられた拭取りローラ３７がケージ５の吊り軸１４よりも主務チェーン９側に位置し、錘支持材４４の端部に設けられた錘４５がアタッチメントリンク１５と直交する梁６に当接するような長さで形成されている。また、この実施形態では、拭取りローラ３７が待機状態の時に、錘４５が梁６に当接してこれら支持アーム３２、傾動アーム３５、棒材３６、錘支持材４４とが略水平状態となるように構成されている。
【００３７】
また、前記錘支持材４４の固定位置を軸方向に調整することにより、枢支ピン３１を支点として反錘側に設けられた拭取りローラ３７に作用するモーメントを調節することができるので、この拭取りローラ３７を吊り軸１４の部分に押し当てる力を調節することができる。つまり、拭取り時の力を調節することができる。
【００３８】
図５は図４に示す油滴類清掃装置の動作を示す図面であり、ケージ下降時の作用図である。図６は同油滴類清掃装置の動作を示す図面であり、ケージ上昇時の作用図である。これらの図面に基いて、以上のように構成された第１実施形態の油滴類清掃装置３０によって、入出庫の度に時計回り又は反時計回りに循環移動するケージの吊り軸部位から油滴類を拭取って飛散を防止する作用を以下に説明する。
【００３９】
図５に示すように、油滴類清掃装置３０の上側から下側に向けてケージ５が下降する時には、アタッチメントリンク１５の先端部が拭取りローラ３７の拭取り材３８に当接し、アタッチメントリンク１５の下降に伴って拭取りローラ３７と支持アーム３２と錘支持材４４とが一体的に傾動する。この傾動は支持アーム３２の枢支ピン３１を中心に拭取りローラ３７が下降するように傾動し、円弧を描きながら傾動する拭取りローラ３７は傾動角度の増加と共に主務チェーン９先端部（反主務チェーン側）の吊り軸１４の下面、端面、上面へと撫でるように転動して油滴類Ｏを拭取ることができる。この拭取り時の拭取り材３８に作用する押付け力は、錘支持材４４の端部に設けられた錘４５によって作用させるモーメントによって決まる。
【００４０】
そして、ケージ５が下降して吊り軸１４の部分から拭取り材３８が外れると、錘４５の重量によって支持アーム３２の錘側が下向きに傾動し、拭取りローラ３７が上向きに傾動して前記待機状態に戻る。
【００４１】
したがって、ケージ５が下向きに移動している時には、油滴類清掃装置３０が全体的に傾動して拭取り材３８で油滴類Ｏを拭取るように動作する。
【００４２】
一方、図６に示すように、油滴類清掃装置３０の下側から上側に向けてケージ５が上昇する時には、アタッチメントリンク１５の先端部が拭取りローラ３７の拭取り材３８に当接し、アタッチメントリンク１５の上昇に伴って拭取りローラ３７と傾動アーム３５とが一体的に傾動する。この傾動は傾動アーム３５の枢支ピン３４を中心に拭取りローラ３７が上昇するように傾動し、円弧を描きながら傾動する拭取りローラ３７は傾動角度の増加と共に主務チェーン９先端部（反主務チェーン側）の吊り軸１４の上面、端面、下面へと撫でるように転動して油滴類Ｏを拭取ることができる。この拭取り時の拭取り材３８に作用する押付け力は、傾動アーム３５の枢支ピン３４から先端側の拭取りローラ３７の自重によって作用するモーメントによって決まる。
【００４３】
そして、ケージ５が上昇して吊り軸１４の部分から拭取り材３８が外れると、傾動アーム３５から先端側の自重によって拭取りローラ３７が下向きに傾動して前記待機状態に戻る。
【００４４】
したがって、ケージ５が上向きに移動している時には、油滴類清掃装置３０の傾動アーム３５から先端側が傾動して拭取り材３８で油滴類Ｏを拭取るように動作する。
【００４５】
このように、駐車塔２の所定位置に設けられた油滴類清掃装置３０によれば、ケージ群の循環経路Ｒの途上に拭取り材３８を介入させ、ケージ５の循環移動中にケージ吊り軸１４の部位と油滴類清掃装置３０の拭取り材３８との相対的移動接触により、この部位に付着している油滴類Ｏを拭取ることができる。つまり、ケージ５の循環移動（上下動）によって自動的に吊り軸１４の支持部から滲み出たような油滴類を拭取ることができるので、手作業による煩雑な重労働をなくすことができる。
【００４６】
図７は本願発明に係る油滴類清掃装置の第２実施形態を示す図面であり、(a) 平面図、(b) はＡ−Ａ断面図、(c) はＢ−Ｂ断面図である。この第２実施形態の油滴類清掃装置５０は、部品点数を少なくした構造の例である。なお、前記第１実施形態と同一の構成には同一符号を付し、その詳細な説明は省略する。
【００４７】
図示するように、この実施形態の支持アーム５２は上面が開放された断面Ｕ時状の部材であり、この支持アーム５２の中間部が梁６に設けられたブラケット２６に枢支ピン５１で支持されている。
【００４８】
支持アーム５２の主務チェーン９側にはＬ字形の棒材５３が設けられており、この棒材５３の基部は支持アーム５２に枢支ピン５４で取付けられている。これにより、Ｌ形の棒材５３は、基部がアタッチメントリンク１５と平行で、他端は吊り軸１４と平行となるように構成されている。この棒材５３は、枢支ピン５４によって上方へは揺動可能に構成され、下方への揺動はストッパ５５によって規制されている。棒材５３の他端に設けられた拭取りローラは第１実施形態における拭取りローラ３７と同一の構成であるため、その詳細な説明は省略する。なお、この拭取りローラ３７も、図２に示すように、拭取り材３８が吊り軸１４よりも主務チェーン９側に位置してアタッチメントリンク１５の先端部の軌跡に干渉する位置に配置されている。
【００４９】
一方、支持アーム５２の反拭取りローラ側には、梁６側に姿勢保持部材たる錘兼用当接部材５６が設けられている。この錘兼用当接部材５６が梁６に当接した状態で、支持アーム５２が略水平状態を保つようにしている。
【００５０】
以上のように構成された第２実施形態の油滴類清掃装置５０によれば、前記第１実施形態の油滴類清掃装置３０における作用を示す図５，６と同様に、油滴類清掃装置５０の上側から下側に向けてケージ５が下降する時には、アタッチメントリンク１５の先端部が拭取りローラ３７の拭取り材３８に当接し、アタッチメントリンク１５の下降に伴って拭取りローラ３７と支持アーム５２とが一体的に傾動し、拭取りローラ３７が主務チェーン９先端部（反主務チェーン側）の吊り軸１４の下面、端面、上面へと撫でるように転動して油滴類を拭取ることができる。そして、ケージ５が下降して吊り軸１４の部分から拭取り材３８が外れると、錘兼用当接部材５６の重量によって拭取りローラ３７が上向きに傾動して前記待機状態に戻る。
【００５１】
一方、油滴類清掃装置５０の下側から上側に向けてケージ５が上昇する時には、アタッチメントリンク１５の先端部が拭取りローラ３７の拭取り材３８に当接し、アタッチメントリンク１５の上昇に伴って拭取りローラ３７を設けた棒材５３が傾動し、拭取りローラ３７が主務チェーン９先端部（反主務チェーン側）の吊り軸１４の上面、端面、下面へと撫でるように転動して油滴類を拭取ることができる。そして、ケージ５が上昇して吊り軸１４の部分から拭取り材３８が外れると、棒材５３の先端側の自重によって拭取りローラ３７が下向きに傾動して前記待機状態に戻る。
【００５２】
このように第２実施形態の油滴類清掃装置５０によっても、吊り軸１４の部分の油滴類を安定して拭取ることができる。
【００５３】
なお、前記実施形態では、いずれも油滴類清掃装置３０，５０をケージ５の垂直直線移動部に設けた例を示しているが、油滴類清掃装置３０，５０の設置場所は前記場所には限られず、上部又は下部の旋回部に設けてもよい。また、台数も前部１台と後部１台の２台に限らずそれ以上設けてもよく、例えば、直線移動部と旋回部とに設けてもよい。
【００５４】
さらに、前記油滴類清掃装置３０，５０は、駐車塔２に常設しても、保守点検作業時にのみ一時的に設置してもよい。常設の場合は、駐車装置の稼働中におけるケージ循環に連動して自動的に油滴類を拭取って漏出した油滴類等の飛散による搭載車両の汚損のおそれがなくなり、保守員は手作業による重労働の拭取り作業から解放され、保守点検作業時には汚れた拭取りローラ３７を交換するのみで済む。また、油滴類清掃装置３０，５０を一時的に設置する場合は、ケージ群を両方向に各１循環させて自動拭取り作業を行うようにすればよい。
【００５５】
その上、前記実施形態では、拭取りローラ３７を回転自在としているが、非回転でもよく、断面形状も円筒に限らない。例えば、拭取りローラ３７の拭取り材３８は周面中央部を若干小径として、アタッチメントリンク１５の先端部の上部、下部、端面だけでなく、これらの側面も同時に拭取れるようにしてもよい。
【００５６】
また、前述した実施の形態は一例を示しており、本願発明の要旨を損なわない範囲での種々の変更は可能であり、本願発明は前述した実施の形態に限定されるものではない。
【産業上の利用可能性】
【００５７】
本願発明に係る油滴類清掃装置は、ケージを支持した吊り軸部分から油滴類が飛散することを安定して防止したい垂直循環式駐車装置において有用である。
【図面の簡単な説明】
【００５８】
【図１】本願発明に係る油滴類清掃装置の一実施形態を備えた垂直循環式駐車装置を概略的に示す縦断面図である。
【図２】図１に示す油滴類清掃装置とケージとを示す斜視図である。
【図３】図２に示す油滴類清掃装置とケージ端部とを示す拡大平面図である。
【図４】図３に示す油滴類清掃装置の断面図であり、(a) は拭取りローラ支持部の横断面図、(b) は拭取りローラの縦断面図、(c) は拭取りローラの他の例を示す縦断面図である。
【図５】図４に示す油滴類清掃装置の動作を示す図面であり、ケージ下降時の作用図である。
【図６】図４に示す油滴類清掃装置の動作を示す図面であり、ケージ上昇時の作用図である。
【図７】本願発明に係る油滴類清掃装置の第２実施形態を示す図面であり、(a) 平面図、(b) はＡ−Ａ断面図、(c) はＢ−Ｂ断面図である。
【図８】従来の垂直循環式駐車装置を概略的に示す縦断面図である。
【符号の説明】
【００５９】
１…駐車装置
２…駐車塔
３…入出庫階
４…入出庫口
５…ケージ
６…梁
７…上部スプロケット
８…下部スプロケット
９…主務チェーン
１０…車両搭載用パレット
１１…前側ケージ枠
１２…後側ケージ枠
１３…ブラケット
１４…吊り軸
１５…アタッチメントリンク
１６…ブッシュ
１７…給油口
１８…下ローラ
１９…肩ローラ
２０…循環駆動装置
２１…直線内ガイド
２２…直線外ガイド
２３…上部旋回ガイド
２４…下部旋回ガイド
２５…ブラケット
２６…チェーンガイド
２７…ガイドローラ
３０…油滴類清掃装置
３１…枢支ピン
３２…支持アーム
３３…コ字状ブラケット
３４…枢支ピン
３５…傾動アーム
３６…棒材
３７…拭取りローラ
３８…拭取り材
３９…止めピン
４０…ストッパ
４１…芯材
４２…ストッパ
４３…止め金具
４４…錘支持材
４５…錘
４６…止めピン
４７…調整溝
５０…油滴類清掃装置
５１…枢支ピン
５２…支持アーム
５３…棒材
５４…枢支ピン
５５…ストッパ
５６…錘兼用当接部材
Ｍ…車両
Ｒ…循環経路
Ｏ…油滴類
【図１】
2006152552.tif 000003
【図２】
2006152552.tif 000004
【図３】
2006152552.tif 000005
【図４】
2006152552.tif 000006
【図５】
2006152552.tif 000007
【図６】
2006152552.tif 000008
【図７】
2006152552.tif 000009
【図８】
2006152552.tif 000010